(57)【要約】【課題】リモコン操作による非常点灯の点検作業が容易に行える誘導灯器具を提供する。【解決手段】誘導灯器具１は、バッテリ６の充電状態を点灯により報知し、当該点灯状態が器具本体２の外部から視認できるように器具本体２内に配設されたモニターランプ７と、モニターランプ７の近傍の器具本体２内に配設され、器具本体２の外部からの指向性を有するワイヤレス信号を受信する受光部８と、受光部８がワイヤレス信号を受信したときに、バッテリ６と点灯装置５を接続させて光源４の点灯状態を常用点灯から非常点灯に変更させる切換手段９とを具備する。【選択図】図１
2007250267.tif 000002
【特許請求の範囲】
【請求項１】
前面側に開口部を有する器具本体と；
器具本体の開口部に取り付けられ、一面に避難誘導の表示を有する表示パネルと；
器具本体内に配設され、表示パネルを照明する光源と；
光源を常用点灯または非常点灯させる点灯装置と；
器具本体に収容され、商用交流電源により充電されるバッテリと；
バッテリの充電状態を点灯により報知し、当該点灯状態が器具本体の外部から視認できるように器具本体内に配設されたモニターランプと；
モニターランプの近傍の器具本体内に配設され、器具本体の外部からのワイヤレス信号を受信する受光部と；
受光部がワイヤレス信号を受信したときに、バッテリと点灯装置を接続させて光源の点灯状態を常用点灯から非常点灯に変更させる切換手段と；
を具備していることを特徴とする誘導灯器具。
【請求項２】
モニターランプおよび受光部は、器具本体の長手方向の中心を挟み、かつ器具本体の長手方向の一端側にそれぞれ配設されていることを特徴とする請求項１記載の誘導灯器具。
【発明の詳細な説明】
【技術分野】
【０００１】
本発明は、ワイヤレス信号を送信して非常点灯の点検作業を行う誘導灯器具に関する。
【背景技術】
【０００２】
誘導灯は、通常時、バッテリが充電されており、このバッテリの充電状態が充電モニターで報知されている。この充電モニターを視認することにより、バッテリが充電装置に接続され充電されているか否かを確認できる。そして、床、天井や壁等に埋め込み設置される埋込形誘導灯は、設置上の制約により、充電モニターが器具本体内に配設されている。
【０００３】
そして、非常時に、バッテリにより、誘導灯が確実に動作するか否かの確認作業が行われており、この確認作業が赤外線リモコンを用いて行える誘導灯が提案されている（特許文献１または特許文献２参照。）。この従来技術の誘導灯は、器具本体の外部からの赤外線信号を受信器が受信することにより、点検スイッチが切り換わって非常点灯させることができるので、バッテリによる非常点灯の確認が容易に行えるというものである。
【特許文献１】特開平３−２４１６９６号公報（第２頁、第１図）
【特許文献２】特開２００４−８７１５６号公報（第５−６頁、第７図）
【発明の開示】
【発明が解決しようとする課題】
【０００４】
特許文献１または特許文献２の誘導灯は、赤外線信号を受信する受信器の位置が特定されていないので、その位置が判らないと、赤外線信号を送信する方向を変えて繰り返し送信することがあり、リモコン操作が煩わしくなるという欠点を有する。
【０００５】
本発明は、リモコン操作による非常点灯の点検作業が容易に行える誘導灯器具を提供することを目的とする。
【課題を解決するための手段】
【０００６】
請求項１に記載の誘導灯器具の発明は、前面側に開口部を有する器具本体と；器具本体の開口部に取り付けられ、一面に避難誘導の表示を有する表示パネルと；器具本体内に配設され、表示パネルを照明する光源と；光源を常用点灯または非常点灯させる点灯装置と；器具本体に収容され、商用交流電源により充電されるバッテリと；バッテリの充電状態を点灯により報知し、当該点灯状態が器具本体の外部から視認できるように器具本体内に配設されたモニターランプと；モニターランプの近傍の器具本体内に配設され、器具本体の外部からのワイヤレス信号を受信する受光部と；受光部がワイヤレス信号を受信したときに、バッテリと点灯装置を接続させて光源の点灯状態を常用点灯から非常点灯に変更させる切換手段と；を具備していることを特徴とする。
【０００７】
本発明および以下の発明において、特に言及しない限り、各構成は以下による。
【０００８】
「光源の常用点灯」とは、点灯装置が商用交流電源からの交流電圧を入力して光源を点灯させている状態をいい、「光源の非常点灯」とは、点灯装置がバッテリから直流電圧を入力して光源を点灯させている状態をいう。
【０００９】
点灯装置は、光源を常用点灯または非常点灯させる１個に構成されていてもよく、それぞれ常用点灯または非常点灯させる別体（２個）に構成されていてもよい。
【００１０】
「バッテリが商用交流電源により充電される」とは、交流電圧を所定の直流電圧に変換する充電器（充電回路）が商用交流電源に接続され、バッテリは、充電器（充電回路）から出力された直流電圧により充電されることを意味する。
【００１１】
「商用交流電源」は、自家発電の交流電源を包含する。
【００１２】
「モニターランプの点灯状態が器具本体の外部から視認できる」とは、例えば表示パネルを透視して視認できてもよく、表示パネルや器具本体に設けた開口または透光部から視認できてもよく、あるいは表示パネルおよび器具本体の境界部から視認できることが挙げられる。
【００１３】
本発明の誘導灯器具は、受光部が器具本体の外部から視認されるモニターランプの近傍に配設されているので、送信器からモニターランプの方向に向けてワイヤレス信号を送信することにより、例え指向性を有するワイヤレス信号であっても、ワイヤレス信号が受光部に受信される。そして、切換手段がバッテリと点灯装置を接続させるので、光源は非常点灯されるようになる。
【００１４】
請求項２に記載の誘導灯器具の発明は、請求項１記載の誘導灯器具において、モニターランプおよび受光部は、器具本体の長手方向の中心を挟み、かつ器具本体の長手方向の一端側にそれぞれ配設されていることを特徴とする。
【００１５】
本発明の誘導灯器具は、受光部およびモニターランプが器具本体の長手方向の中心を挟んで器具本体の長手方向の一端側にそれぞれ配設されることにより、受光部がモニターランプの近傍に配設されるとともに、表示パネルを介して受光部およびモニターランプのそれぞれの影による違和感が抑制される。また、受光部およびモニターランプがそれぞれ表示パネルの避難誘導の表示部分と対向しなくなるので、モニターランプの点灯状態が器具本体の外部から表示パネルの避難誘導の非表示部を透視して容易に視認されやすくなり、ワイヤレス信号が受光部に受信されやすくなる。
【発明の効果】
【００１６】
請求項１の発明によれば、器具本体の外部から視認できるモニターランプの方向に向けてワイヤレス信号を送信することにより、光源の点灯状態が常用点灯から非常点灯に変更されるので、商用交流電源が供給されない非常時に、バッテリにより光源が非常点灯されることの点検作業を迅速に行うことができる。
【００１７】
請求項２の発明によれば、モニターランプおよび受光部が器具本体の長手方向の中心を挟み、かつ器具本体の長手方向の一端側にそれぞれ配設されることにより、誘導灯器具を視認したときに、表示パネルを介して受光部およびモニターランプのそれぞれの影による違和感を抑制することができる。また、受光部がモニターランプの近傍に配設されるので、モニターランプの方向に送信されたワイヤレス信号を受光部に受信させることができて、バッテリにより光源が非常点灯されることの点検作業を迅速に行うことができる。
【発明を実施するための最良の形態】
【００１８】
以下、本発明の一実施の形態について図面を参照して説明する。
【００１９】
図１ないし図４は、本発明の一実施の形態を示し、図１は誘導灯器具の一部切り欠き概略正面図、図２は誘導灯器具の一部切り欠き概略側面図、図３は床面に埋設された誘導灯器具の概略斜視図、図４は誘導灯器具の概略配線図である。
【００２０】
図１において、誘導灯器具１は、器具本体２、表示パネル３、光源４、点灯装置５、バッテリ６、モニターランプ７、受光部８および切換手段としての切換回路９を有して構成されている。
【００２１】
器具本体２は、図２に示すように、それぞれ略直方体状に形成された第１の外箱１０、第２の外箱１１および内箱１２を備えている。第１の外箱１０は、前面（上面）に図示しない開口およびこの開口の縁が内方に向けて張り出す環状のフランジ１３を有している。また、第２の外箱１１は、前面（上面）に開口１１ａおよびこの開口１１ａの縁が外方に向けて張り出す環状のフランジ１４を有している。そして、第２の外箱１１の底面には、第１の外箱１０の開口と同等の大きさの開口が形成されていて、第１および第２の外箱１０，１１は、第１の外箱１０のフランジ１３と第２の外箱１１の底面がねじ止めされて一体化されている。
【００２２】
内箱１２は、前面（上面）に開口１２ａを有し、第１および第２の外箱１０，１１に収容され、第１の外箱１０の底板１０ａに固定されている。そして、内箱１２の内周面には、略箱状の支持体１５が取り付けられている。この支持体１５は、内箱１２の開口縁部側に内方に向けて張り出していて表示パネル３を載置するフランジ１５ａが形成され、底面部１５ｂが内箱１２の底面１２ｂから所定長離間されている。そして、支持体１５の内部に、光源４、点灯装置５、バッテリ６、モニターランプ７、受光部８および切換回路９などが配設されている。内箱１２の開口１２ａおよび第２の外箱１１は、器具本体２の前面側の開口部を形成している。
【００２３】
表示パネル３は、光拡散性材料例えば乳白色のアクリル樹脂板で形成されていて、内箱１２の開口１２ａより僅かに小さい長方形の大きさに形成されている。表示パネル３は、支持体１５のフランジ１５ａに載置されることにより、内箱１２の開口１２ａ側の内部に収容されて開口１２ａを塞いでいる。こうして、表示パネル３は、器具本体２の開口部に取り付けられている。
【００２４】
そして、表示パネル３は、図３に示すように、その一面（上面）３ａに避難誘導を示す表示１６ａを有している。表示１６ａは、例えば緑色の透光性塗料を印刷することにより形成されている。表示１６ａ以外の他の部分は、全て非表示領域１６ｂとなっている。そして、表示パネル３は、光透過率の高いものを使用していて、後述のモニターランプ７からの放射光の透過を向上させている。
【００２５】
光源４は、例えば３Ｗの冷陰極蛍光ランプからなり、図１に示すように、器具本体２の幅方向中央に位置して、器具本体２の長手方向の中心Ａ上に２本が配列されている。支持体１５の底面部１５ｂには、２対のランプホルダー１７が取り付けられており、光源４は、ランプホルダー１７によって支持されている。そして、ランプホルダー１７の上部側には、図２に示すように、支持金具１８が取り付けられている。この支持金具１８に光源４に光学的に対向して反射板１９が取り付けられている。
【００２６】
光源４からの放射光は、直接光および反射板１９で反射された反射光となって表示パネル３を下面側から照明する。そして、表示パネル３の表示１６ａおよび非表示領域１６ｂにおける照明光の透過の相違によって、器具本体２の外部から避難誘導の表示１６ａがよく視認される。
【００２７】
点灯装置５は、図１に示すように、支持体１５の一対のランプホルダー１７，１７間の底面部１５ｂに配設された点灯ユニット２０内に形成されている。点灯装置５は、商用交流電源Ｖｓから交流電圧を入力して、またはバッテリ６から直流電圧を入力して、光源４である冷陰極放電ランプを高周波点灯させるように構成されている。以下、点灯装置５に商用交流電源Ｖｓから交流電圧が入力されているときは、通常時であり、このときの光源４の点灯状態を通常点灯といい、点灯装置５にバッテリ６から直流電圧が入力されているときは、商用交流電源Ｖｓが供給されなくなった火災等の非常時であり、このときの光源４の点灯状態を非常点灯という。
【００２８】
バッテリ６は、支持体１５の底面部１５ｂに配設されていて、通常時に点灯ユニット２０内に設けられている充電回路２１により充電され、非常時に点灯装置５に直流電圧を供給する。
【００２９】
点灯ユニット２０は、点灯装置５、充電回路２１の他に、切換手段としての切換回路９が設けられている。そして、点灯ユニット２０は、図４に示すように、充電回路２１および切換回路９に接続されている電源線２３，２３が導出されている。電源線２３，２３は、支持体１５の底面部１５ｂに配設されている端子台（図示しない。）の電源端子２４，２４を介して、支持体１５および内箱１２のそれぞれの側面に設けられた孔（図示しない。）および第１の外箱１０の側面１０ｂに設けられた孔２５（図２に示す。）から器具本体２の外部に導出されて商用交流電源Ｖｓに接続されている。
【００３０】
また、点灯ユニット２０は、充電回路２１または点灯装置５と電気的に接続されるリード線２６，２６が導出されている。このリード線２６，２６は、コネクタ２７およびヒューズＦ１を介してバッテリ６に接続されている。さらに、点灯装置５に接続されているランプ線２８，２８が導出されており、このランプ線２８，２８は、直列接続された冷陰極蛍光ランプ（光源）４，４の電極４ａ，４ａに接続されている。
【００３１】
充電回路２１は、通常時、商用交流電源Ｖｓの交流電圧を所定の直流電圧に変換して、その直流電圧によりバッテリ６を充電するように構成されている。すなわち、バッテリ６は、通常時、商用交流電源Ｖｓにより充電される。そして、バッテリ６がフル充電の状態またはバッテリ電圧が所定電圧以上になると、モニターランプ７を点灯させるように構成されている。
【００３２】
切換回路９は、通常時、点灯装置５に商用交流電源Ｖｓの交流電圧が入力され、商用交流電源Ｖｓの停電などの非常時に、バッテリ６と点灯装置５を接続してバッテリ電圧が点灯装置５に入力されるように構成されている。また、点検作業時、受光部８がワイヤレス信号としての赤外線信号のオン信号を受信すると、商用交流電源Ｖｓと点灯装置５の接続を遮断し、バッテリ６と点灯装置５を接続してバッテリ電圧が点灯装置５に入力されるように構成されている。そして、受光部８が赤外線信号のオフ信号を受信すると、または所定期間例えば１０秒が経過すると、バッテリ６と点灯装置５の接続を遮断し、商用交流電源Ｖｓと点灯装置５が接続されるように構成されている。
【００３３】
モニターランプ７は、例えば緑色光を放射する発光ダイオードであり、図２に示すように、略箱形状のモニターケース２９に収納されている。そして、モニターケース２９は、支持体１５の底面部１５ｂにねじ止めにより固定されたＬ形支持部材３０の垂直板部３０ａに取り付けられており、モニターランプ７の出射面を表示パネル３の下面に接近させている。また、Ｌ形支持部材３０（モニターランプ７）は、図１に示すように、内箱１２の長手方向の一端側１２ｃの隅部側に配設されている。すなわち、表示パネル３の隅部に位置しており、非表示領域１６ｂに対向している。
【００３４】
そして、モニターランプ７は、バッテリ６の充電状態がフル充電または所定電圧以上であると、充電回路２１から直流電圧が供給されて点灯し、緑色光を放射する。モニターランプ７は、表示パネル３に接近していて、かつ非表示領域１６ｂに対向しているので、モニターランプ７からの放射光が表示パネル３を効率よく透過するようになる。これにより、モニターランプ７の点灯状態が器具本体２の外部から後述の透明保護板３１および表示パネル３を透視して視認され、バッテリ６の充電状態がフル充電または所定電圧以上であることの確認をすることができる。
【００３５】
受光部８は、例えば赤外線信号を受信するフォトダイオードを有してなり、図１に示すように、器具本体２（内箱１２）の長手方向の中心Ａを挟み、内箱１２の長手方向の一端側１２ｃであって、モニターランプ７に対向する隅部側に配設されている。すなわち、受光部８は、モニターランプ７の近く（近傍）に配設されている。そして、受光部８は、Ｌ形支持部材３０と同様に形成されたＬ形支持部材３２に取り付けられている受光ケース３３に収容されており、受光面が表示パネル３の下面に接近しているとともに、非表示領域１６ｂに対向している。
【００３６】
そして、受光部８は、送信器から送信された赤外線信号を受信する。この受信による電圧変化が点灯ユニット２０の切換回路９で検出される。切換回路９は、赤外線信号がオン信号であると、バッテリ６と点灯装置５を接続させ、オフ信号であると、商用交流電源Ｖｓと点灯装置５を接続させる。そして、受光部８は、表示パネル３に接近していて、かつ非表示領域１６ｂに対向している。したがって、器具本体２の外部からの赤外線信号は、透明保護板３１および表示パネル３を透過して受光部８に受信される。
【００３７】
なお、受光ケース３３は、受光部８の近傍に発光部を有し、受光部８が受信した赤外線信号に応じて、当該発光部から誘導灯器具１の動作状態を送信器に返信する機能を具備していてもよい。
【００３８】
表示パネル３の上面には、図２に示すように、透明保護板３１が載置されている。透明保護板３１は、例えば強化ガラスからなり、表示パネル３と略同等の大きさであり、その周部に段差３１ａが形成されている。段差３１ａ上には、環状に形成されたゴム製の防水パッキン（図示しない。）が取り付けられている。そして、透明保護板３１は、押え枠３４により、支持体１５のフランジ１５ａに表示パネル３とともに固定されている。
【００３９】
押え枠３４は、例えばステンレス鋼からなり、その外周部を第２の外箱１１のフランジ１４と面一に連続させるとともに、内周部を透明保護板３１の段差３１ａに重ねて、防水パッキンを挟んで配置されている。そして、押え枠３４は、第２の外箱１１の底面に設けられた複数のねじ受け部３５に対向する孔が形成されている。そして、図１に示すように、前記孔を貫通してねじ受け部３５に螺合されたねじ３６により、第２の外箱１１（器具本体２）に取り付けられている。
【００４０】
上述のようにして構成された誘導灯器具１は、図３に示すように、透明保護板３１の表面（上面）が例えば床面３７と略面一の高さとなるように床に埋設されている。
【００４１】
次に、本発明の一実施の形態の作用について述べる。
【００４２】
通常時、光源４は、点灯装置５により通常点灯されている。そして、光源４からの放射光により、表示パネル３が下面側から照明され、避難誘導の表示１６ａが照らされることにより、誘導灯器具１（器具本体２）の外部から表示１６ａが視認される。
【００４３】
そして、バッテリ６は、点灯ユニット２０内の充電回路２１により充電されていて、通常時、充電継続の状態となっている。充電回路２１は、モニターランプ７に直流電圧を供給してモニターランプ７を点灯させる。
【００４４】
モニターランプ７は、表示パネル３に接近し、かつ表示パネル３の非表示領域１６ｂに対向する位置に配設されているので、モニターランプ７から放射された緑色光が表示パネル３および透明保護板３１を効率よく透過して、器具本体２の外部に出射される。これにより、器具本体２の外部からモニターランプ７の点灯状態を透明保護板３１および表示パネル３を透視して視認することができ、バッテリ６が充電継続されていることを確認することができる。
【００４５】
そして、非常時にバッテリ６により光源４が点灯することの確認を行うには、送信器を用いて、器具本体２の外部から容易に視認されるモニターランプ７の方向にオン信号の赤外線信号を送信する。この赤外線信号を受信する受光部８は、図１に示すように、器具本体２の長手方向の中心Ａを挟んでモニターランプ７と対向する位置に配設されているので、モニターランプ７の近く（近傍）に位置している。また、受光部８は、表示パネル３に接近し、かつ表示パネル３の非表示領域１６ｂに対向する位置に配設されている。したがって、モニターランプ７の方向に送信された赤外線信号は、指向性を有していても、透明保護板３１および表示パネル３を透過して受光部８に受信される。
【００４６】
オン信号の赤外線信号が受光部８に受信されると、点灯ユニット２０の切換回路９は、商用交流電源Ｖｓと点灯装置５の接続を遮断し、バッテリ６と点灯装置５を接続させる。この時、短時間、光源４は消灯し、表示パネル３は照明されなくなる。これにより、前記切換が確認できる。点灯装置５は、バッテリ６からの直流電圧を入力して動作し、光源４を高周波点灯させる。こうして、光源４の点灯状態が常用点灯から非常点灯に変更され、非常時に、光源４がバッテリ６により点灯できることの確認がなされる。
【００４７】
そして、送信器からモニターランプ７の方向にオフ信号の赤外線信号を送信すると、上記同様、オフ信号の赤外線信号が受光部８に受信され、切換回路９の動作により、光源４は非常点灯から常用点灯される。または、非常点灯後、所定時間例えば１０秒が経過すると、切換回路９は、光源４を非常点灯から常用点灯に変更させる。このようにして、非常時に光源４が確実に点灯するか否かの点検作業を行うことができる。
【００４８】
そして、モニターランプ７および受光部８は、内箱１２（器具本体２）の長手方向の中心Ａを挟み、かつ内箱１２の長手方向の一端側１２ｃの位置にそれぞれ配設されているので、表示パネル３でのモニターランプ７および受光部８のそれぞれの影が分散され、光源４の通常点灯時に表示パネル３を視認したときに、前記影による違和感が生じにくくなる。
【００４９】
上述したように、誘導灯器具１（器具本体２）の外部から容易に視認されるモニターランプ７の方向に、送信器から赤外線信号を送信することにより、光源４を非常点灯させることができるので、非常時に光源４が確実に点灯するか否かの点検作業を容易にかつ迅速に行うことができる。すなわち、受光部８の配設位置が判らずに、送信器から繰り返し赤外線信号を送信するというリモコン操作の煩わしさを解消することができる。
【図面の簡単な説明】
【００５０】
【図１】本発明の一実施の形態を示す誘導灯器具の一部切り欠き概略上面図。
【図２】同じく、誘導灯器具の一部切り欠き概略側面図。
【図３】同じく、床面に埋設された誘導灯器具の概略斜視図。
【図４】同じく、誘導灯器具の概略配線図。
【符号の説明】
【００５１】
１…誘導灯器具
２…器具本体
３…表示パネル
４…光源
５…点灯装置
６…バッテリ
７…モニターランプ
８…受光部
９…切換手段としての切換回路
【図１】
2007250267.tif 000003
【図２】
2007250267.tif 000004
【図３】
2007250267.tif 000005
【図４】
2007250267.tif 000006